(57)【要約】【課題】  スペーサー等を用いずに安定した集積が可能な情報記録媒体を提供すること。【解決手段】  中央部分に設けた中心孔１２と、表裏両面に情報信号面が形成されたディスク状の基板１１からなる情報記録媒体１０であって、基板１１は、表（Ａ）面のクランプ領域１６ａに設けられたスタックリブ１３と、裏（Ｂ）面のクランプ領域１６ｂに設けられたスタックリブ１４とを有している。スタックリブ１３及びスタックリブ１４は、基板１１と一体に成形され、断面テーパ形状を有し、更に、スタックリブ１３の径はスタックリブ１４の径より小さく、他の情報記録媒体を重ねたときに、互いに嵌合するように形成されている。【選択図】  図１
2006012331.tif 000002
【特許請求の範囲】
【請求項１】
ディスク状基板と、
前記ディスク状基板の第１面及び第２面の両面にそれぞれ設けられたスタックリブと、を有することを特徴とする情報記録媒体。
【請求項２】
前記スタックリブは、複数のディスク状基板を重ねる際に、当該スタックリブ同士が嵌合する形状に形成されていることを特徴とする請求項１記載の情報記録媒体。
【請求項３】
前記スタックリブは、前記ディスク状基板の中心から所定の半径を有する連続又は不連続な環状凸部であることを特徴とする請求項１記載の情報記録媒体。
【請求項４】
前記スタックリブは、前記半径が当該ディスク状基板の第１面及び第２面の両面において異なることを特徴とする請求項３記載の情報記録媒体。
【請求項５】
前記半径が、複数のディスク状基板を重ねる際に、前記スタックリブ同士が嵌合する程度の内径差を有するように、当該ディスク状基板の第１面及び第２面の両面において異なることを特徴とする請求項３記載の情報記録媒体。
【請求項６】
前記環状凸部の少なくとも一部に、複数のディスク状基板を重ねる際に、前記スタックリブ同士が嵌合するように形成された不連続部又は突出部を有することを特徴とする請求項３記載の情報記録媒体。
【請求項７】
前記スタックリブは、前記ディスク状基板の半径方向の断面が、所定の傾斜角度を有するテーパ形状であることを特徴とする請求項１記載の情報記録媒体。
【請求項８】
前記ディスク状基板と前記スタックリブとは、一体に成形されることを特徴とする請求項１記載の情報記録媒体。
【請求項９】
前記ディスク状基板の第１面及び第２面の両面に、光情報の記録再生用の情報信号面がそれぞれ形成されていることを特徴とする請求項１記載の情報記録媒体。
【請求項１０】
情報記録媒体用基板を成形するための金型であって、
固定側金型と、
前記固定側金型に取り付けられ、第１の情報信号面を形成する第１のスタンパと、
前記固定側金型に対向した可動側金型と、
前記可動側金型に取り付けられ、第２の情報信号面を形成する第２のスタンパと、を備え、
前記固定側金型及び前記可動側金型にそれぞれ形成されたスタックリブ形成用の環状溝を有することを特徴とする情報記録媒体用基板成形金型。
【請求項１１】
前記環状溝が、前記第１のスタンパを前記固定側金型に取り付けるスタンパホルダと、前記第２のスタンパを前記可動側金型に取り付けるスタンパホルダと、にそれぞれ形成されていることを特徴とする請求項１０記載の情報記録媒体用基板成形金型。
【請求項１２】
前記環状溝が、前記固定側金型のミラー部と、前記可動側金型のミラー部と、にそれぞれ形成されていることを特徴とする請求項１０記載の情報記録媒体用基板成形金型。
【発明の詳細な説明】
【技術分野】
【０００１】
本発明は、情報記録媒体等に関し、より詳しくは、信号面の接触を避けながら安定した基板集積が可能な情報記録媒体等に関する。
【背景技術】
【０００２】
近年、光ディスクは大容量、高密度の情報記録媒体として開発され、実用化されている。最近は、さらなる大容量化の検討が進められ、例えば、レーザ光は、赤色レーザから青色レーザへと短波長化し、レンズの開口率は、０．６５から０．８５へ増大している。
このような光ディスクは、例えば、ＤＶＤ（Ｄｉｇｉｔａｌ  Ｖｅｒｓａｔｉｌｅ  Ｄｉｓｋ）は、０．６ｍｍの情報信号面が転写された円盤状の成形基板と、同様の厚さの信号面を有さない基板とを貼着し、信号面を内側にして製造される。ＤＶＤ−ＲＡＭの両面記録製品においては、０．６ｍｍの情報信号面が転写された円盤状の成形基板を２枚用意し、互いの情報信号面を内側にして貼り合わせて製造される。
また、デジタル放送のＨＤＴＶ（Ｈｉｇｈ  Ｄｅｆｉｎｉｔｉｏｎ  Ｔｅｌｅｖｉｓｉｏｎ）クラスの画質で録画を行うために開発されたＢＤ（Ｂｌｕ−ｒａｙ  Ｄｉｓｃ）は、１．１ｍｍの基板に情報信号面を転写し、その情報信号面に０．１ｍｍのカバー層を設けて製造される。また、ストレージデバイスとして更に高記憶容量が要求される場合、光ディスクの表裏両方に信号面を設けることも検討されている。
【０００３】
ところで、光ディスクは、通常、成形用のスタンパを装着した成形金型を用いて射出成形等によりディスク状基板を成形し、この基板上に反射層等の他の層を設けて製造される。その際、成形したディスク状基板を一時的に保管する場合、例えば、ストッカーの中央部の支柱にディスク状基板の中心孔を貫通させ、複数のディスク状基板を重ねる方法が採用されている。
【０００４】
図５は、成形したディスク状基板の保管状態を説明する図である。図５（ａ）は、スタックリブ５３を有するディスク基板５１ａをストッカー５０ａに集積した状態であり、図５（ｂ）は、スペーサー５４を介してディスク基板５１ｂをストッカー５０ｂに集積した状態である。例えば、図５（ａ）に示すように、ディスク基板５１ａの信号面とは反対の面上に環状凸部であるスタックリブ５３を形成し、これをストッカー５０ａの中央部の支柱５５にディスク基板５１ａの中心孔を貫通させ、ディスク基板５１ａの信号情報面と他のディスク状基板との接触を避けるようにしている（特許文献１、特許文献２参照）。
【０００５】
また、このようなスタックリブは、スタンパを用いて射出成形によりディスク基板を成形する際に、環状溝を設けたスタンパを用いる方法が知られている（特許文献３参照）。
【０００６】
【特許文献１】実開平２−１２７７０号公報
【特許文献２】特開平７−１２５０１１号公報
【特許文献３】特開２００３−８０５６７号公報
【発明の開示】
【発明が解決しようとする課題】
【０００７】
ところで、特許文献１又は特許文献２に記載されているような、片側にスタックリブが形成されたディスク状基板は、例えば、ＤＶＤ（Ｄｉｇｉｔａｌ  Ｖｅｒｓａｔｉｌｅ  Ｄｉｓｋ）用０．６ｍｍ基板等については、ストッカーに集積する場合、その最下層部では信号面が接触するという問題が起こりうる。また、多数のディスク状基板をカートリッジ等に収納する場合も、同様な問題が生じる。
また、特許文献３の場合は、スタンパ上に環状溝を設けると、スタンパの強度を確保するために溝深さに制約があり、またスタンパの寿命の観点からも望ましくない。
【０００８】
本発明は、上記に鑑みてなされたものである。
即ち、本発明の目的は、スペーサー等を用いずに安定した集積が可能な情報記録媒体を提供することにある。
また、本発明の他の目的は、安定した集積が可能な情報記録媒体が製造可能な金型を提供することにある。
【課題を解決するための手段】
【０００９】
そこで本発明者等は鋭意検討の結果、ディスク状基板の両面にスタックリブを設けたところ、安定したディスク状基板の集積が可能であることを見出し、かかる知見に基づき本発明を完成した。
即ち、本発明によれば、ディスク状基板と、ディスク状基板の第１面及び第２面の両面にそれぞれ設けられたスタックリブと、を有する情報記録媒体が提供される。
【００１０】
本発明が適用される情報記録媒体の両面に設けられたスタックリブは、複数のディスク状基板を重ねる際に、スタックリブ同士が嵌合する形状に形成されていることを特徴とすれば、複数の情報記録媒体を安定して集積することができる。
【００１１】
本発明が適用される情報記録媒体において、複数のディスク状基板を重ねる際に、スタックリブ同士が嵌合する形状としては、スタックリブが、ディスク状基板の中心から所定の半径を有する連続又は不連続な環状凸部の形状に形成されていることが好ましい。
【００１２】
さらに、ディスク状基板上に環状凸部の形状に形成されたスタックリブの半径は、ディスク状基板の第１面及び第２面の両面において異なるように形成されていることが好ましく、また、半径が、複数のディスク状基板を重ねる際に、スタックリブ同士が嵌合する程度の内径差を有するように、ディスク状基板の第１面及び第２面の両面において異なることが好ましい。
【００１３】
また、スタックリブ同士が嵌合する形状として、環状凸部の少なくとも一部に、複数のディスク状基板を重ねる際に、スタックリブ同士が嵌合するように形成された不連続部又は突出部を有することが好ましい。
更に、スタックリブは、ディスク状基板の半径方向の断面が、所定の傾斜角度を有するテーパ形状であることが好ましく、スタックリブ同士の嵌合を容易にすることができる。
【００１４】
本発明が適用される情報記録媒体は、ディスク状基板とスタックリブとは、一体に成形されるものであることが好ましい。
【００１５】
また、本発明が適用される情報記録媒体は、ディスク状基板の第１面及び第２面の両面に、光情報の記録再生用の情報信号面がそれぞれ形成されているものであることが好ましく、さらに、情報信号面上に、更に反射層がそれぞれ形成されていることが好ましい。
【００１６】
次に、本発明によれば、情報記録媒体用基板を成形するための金型であって、固定側金型と、固定側金型に取り付けられ、第１の情報信号面を形成する第１のスタンパと、固定側金型に対向した可動側金型と、可動側金型に取り付けられ、第２の情報信号面を形成する第２のスタンパと、を備え、固定側金型及び可動側金型にそれぞれ形成されたスタックリブ形成用の環状溝を有する情報記録媒体用基板成形金型が提供される。
【００１７】
ここで、本発明が適用される情報記録媒体用基板成形金型において、スタンパを金型に取り付ける方式として、スタンパホルダを用いる方式と、スタンパを吸引によって保持する方式とが挙げられる。スタンパを金型に取り付ける方式の場合は、スタックリブ形成用の環状溝が、第１のスタンパを固定側金型に取り付けるスタンパホルダと、第２のスタンパを可動側金型に取り付けるスタンパホルダと、にそれぞれ形成されていることが好ましい。また、スタンパを吸引によって保持する方式の場合は、スタックリブ形成用の環状溝が、固定側金型のミラー部と、可動側金型のミラー部と、にそれぞれ形成されていることが好ましい。
【発明の効果】
【００１８】
かくして本発明によれば、スペーサー等を用いずに安定した集積が可能な情報記録媒体が得られる。
【発明を実施するための最良の形態】
【００１９】
以下、図面に基づき、本発明を実施するための最良の形態（以下、実施の形態）について説明する。尚、本発明は、以下の実施の形態に限定されるものではなく、その要旨の範囲内で種々変形して実施することが出来る。
図１は、本実施の形態が適用される情報記録媒体を説明する図である。図１（ａ）は、情報記録媒体の断面図であり、図１（ｂ）は、情報記録媒体の表面であり、図１（ｃ）は、情報記録媒体の裏面であり、図１（ｄ）は、スタックリブの径を説明する図である。尚、本図は、各部分の実際の大きさを表すものではない。
【００２０】
図１（ａ）には、ディスク状の基板の表裏両面にスタックリブを設けた情報記録媒体１０が示されている。図１（ａ）に示すように、情報記録媒体１０は、ディスク状の基板１１からなり、基板１１は、中央部分に設けられた中心孔１２と、表（Ａ）面の中心孔１２と基板１１の外周縁との間に設けられた環状凸部であるスタックリブ１３及び同様に裏（Ｂ）面に設けられたスタックリブ１４とを有している。スタックリブ１３及びスタックリブ１４と基板１１とは、例えば、射出成形等により一体に成形されている。また、図示しないが、基板１１の表（Ａ）面及び裏（Ｂ）面の両面には、後述するように、情報信号面が形成されている。図１（ａ）に示すように、スタックリブ１３の径はスタックリブ１４の径より小さく形成されており、後述するように、他の情報記録媒体を重ねたときに、互いに嵌合するように形成されている。また、環状凸部であるスタックリブ１３及びスタックリブ１４の幅は、基板１１から離れる程狭まるように形成されており、断面はテーパ形状を有している。
【００２１】
ディスク状の基板１１に設けられた中心孔１２は、通常、内径１５ｍｍ程度、外径１４０ｍｍ程度である。基板１１の厚さは、通常、２ｍｍ程度である。スタックリブ１３の内径は、通常、２６．５ｍｍ程度であり、スタックリブ１４の内径は、通常、２８ｍｍ程度である。スタックリブ１３又はスタックリブ１４の幅は、通常、１ｍｍ〜２ｍｍである。
【００２２】
次に、図１（ｂ）に示すように、基板１１の表（Ａ）面は、所定のランド／グルーブ構造又はピットが形成された情報信号面１５ａと、基板１１の情報信号面１５ａ以外の部分で中心孔１２の周囲に設けられたクランプ領域１６ａとを有している。図１（ｂ）に示すように、スタックリブ１３は、クランプ領域１６ａの内周側に設けられ、所定の幅を有する環状凸部である。また、スタックリブ１３の外周側には、環状形状の一部が外側に張り出し、先端が鋭角上に形成された４箇所の突出部１３１が設けられている。尚、ここで環状凸部とは、基板１１の表（Ａ）面に連続的に形成された環状凸部、又は、一部に切り欠きが形成され、複数の円弧上の凸部が環状に配置された不連続な環状凸部が含まれる。さらに、環状凸部には、必要に応じて、凹凸、基板１１の半径方向の内側又は外側に張り出した突出部が設けられていてもよい。
【００２３】
次に、図１（ｃ）に示すように、基板１１の裏（Ｂ）面は、表（Ａ）面と同様に、所定のランド／グルーブ構造又はピットが形成された情報信号面１５ｂと、基板１１の情報信号面１５ｂ以外の部分で中心孔１２の周囲に設けられたクランプ領域１６ｂとを有している。図１（ｂ）に示すように、スタックリブ１４は、クランプ領域１６ｂの内周側に設けられ、所定の幅を有する環状凸部である。また、スタックリブ１４には、環状形状の一部が不連続となる切り欠き１４１が４箇所設けられている。
【００２４】
次に、図１（ｄ）は、基板１１の裏（Ｂ）面を説明する図に、表（Ａ）面に設けられたスタックリブ１３（点線）を重ね合わせたものである。前述したように、スタックリブ１３の径はスタックリブ１４の径より小さく形成されており、複数の情報記録媒体を重ねたときに、スタックリブ１３の４箇所の突出部１３１が、スタックリブ１４の４つの切り欠き１４１に嵌めこまれ、互いに嵌合するように形成されている。
このように、スタックリブ１３とスタックリブ１４とを、それぞれ異なる形状に形成すると、情報記録媒体１０の表裏を、目視等で容易に区別することができる。また、情報記録媒体１０を再生記録装置に搭載する場合に、このような形状の差異を利用した表裏判別を行うことができるという利点が生じる。
尚、スタックリブ１３又はスタックリブ１４は、基板１１の表（Ａ）面又は裏（Ｂ）面において、それぞれ、同様な位置に形成しても良く、また異なる位置に形成しても良い。
【００２５】
尚、基板１１は、記録光及び再生光の波長において光透過性材料であれば、種々の材料を使用することができる。例えば、ポリカーボネート樹脂、塩化ビニル系樹脂、ポリメタクリル産メチル等のアクリル樹脂、ポリスチレン系樹脂、エポキシ系樹脂、酢酸ビニル樹脂、ポリエステル系樹脂、ポリエチレン系樹脂、ポリプロピレン系樹脂、ポリイミド系樹脂、非晶質ポリオレフィン等の高分子材料；ガラス等の無機材料等が挙げられる。これらの中でも、ポリカーボネート樹脂が好ましい。
【００２６】
基板１１の表（Ａ）面に形成された情報信号面１５ａ上と裏（Ｂ）面に形成された情報信号面１５ｂ上とには、通常、反射層が設けられる。反射層を形成する材料としては、例えば、Ａｕ、Ａｌ、Ａｇ、Ｃｕ、Ｔｉ、Ｃｒ、Ｎｉ、Ｐｔ、Ｔａ及びＰｄの金属を、単独又は合金にして用いることができる。反射層を形成する方法としては、例えば、スパッタ法、イオンプレーティング法、化学蒸着法、真空蒸着法等が挙げられる。
【００２７】
更に、反射層の上には、例えば、ＳｉＯ２、ＳｉＮ４、ＭｇＦ２、ＳｎＯ２等の無機物質、又は、ウレタンアクリレート、エポキシアクリレート、ポリエステルアクリレート等のアクリレート樹脂系紫外線硬化性樹脂等の有機物質からなる保護層が設けられる。
【００２８】
尚、必要に応じて、情報信号面１５ａ上又は情報信号面１５ｂ上に、直接又は他の層を介して記録層を設けることもできる。記録層を形成する材料として、フタロシアニン色素等の有機色素、又は相変化材料等が挙げられる。
【００２９】
図２は、本実施の形態が適用される情報記録媒体の他の態様を説明する図である。図２（ａ）は、情報記録媒体の断面図であり、図２（ｂ）は、情報記録媒体の表面であり、図２（ｃ）は、情報記録媒体の裏面であり、図２（ｄ）は、スタックリブの径を説明する図である。尚、本図は、各部分の実際の大きさを表すものではない。
【００３０】
図２（ａ）には、ディスク状の基板の表裏両面にスタックリブを設けた情報記録媒体２０が示されている。図２（ａ）に示すように、情報記録媒体２０は、中央部分に中心孔２２を設けたディスク状の基板２１と、表（Ａ）面の中心孔２２と基板２１の外周縁との間に設けられた環状凸部であるスタックリブ２３及び同様に裏（Ｂ）面に設けられたスタックリブ２４とを有している。スタックリブ２３及びスタックリブ２４と基板２１とは、例えば、射出成形等により一体に成形されている。また、図示しないが、基板２１の表（Ａ）面及び裏（Ｂ）面の両面には、情報信号面が形成されている。
図２（ａ）に示すように、スタックリブ２３の径はスタックリブ２４の径より小さく形成されており、他の情報記録媒体を重ねたときに、互いに嵌合するように形成されている。
また、環状凸部であるスタックリブ２３及びスタックリブ２４の断面はテーパ形状を有している。
【００３１】
次に、図２（ｂ）に示すように、基板２１の表（Ａ）面は、所定のランド／グルーブ構造又はピットが形成された情報信号面２５ａと、基板２１の情報信号面２５ａ以外の部分で中心孔２２の周囲に設けられたクランプ領域２６ａとを有している。図２（ｂ）に示すように、スタックリブ２３は、クランプ領域２６ａの内周側に設けられ、所定の幅を有する環状凸部である。また、スタックリブ２３の外周側には、環状形状の一部が外側に張り出し、先端が鋭角上に形成された４箇所の突出部２３１が設けられている。さらに、スタックリブ２３には、環状形状の一部が不連続となる切り欠き２３２が４箇所設けられている。
【００３２】
次に、図２（ｃ）に示すように、基板２１の裏（Ｂ）面は、表（Ａ）面と同様に、所定のランド／グルーブ構造又はピットが形成された情報信号面２５ｂと、基板２１の情報信号面２５ｂ以外の部分で中心孔２２の周囲に設けられたクランプ領域２６ｂとを有している。図２（ｂ）に示すように、スタックリブ２４は、クランプ領域２６ｂの内周側に設けられ、所定の幅を有する環状凸部である。また、スタックリブ２４には、環状形状の一部が不連続となる切り欠き２４１が４箇所設けられている。さらに、スタックリブ２４の内周側には、環状形状の一部が内側に張り出し、先端が鋭角上に形成された４箇所の突出部２４２が設けられている。
【００３３】
次に、図２（ｄ）は、基板２１の裏（Ｂ）面を説明する図に、表（Ａ）面に設けられたスタックリブ２３（点線）を重ね合わせたものである。前述したように、スタックリブ２３の径はスタックリブ２４の径より小さく形成されており、複数の情報記録媒体を重ねたときに、スタックリブ２３の４箇所の突出部２３１が、スタックリブ２４の４つの切り欠き２４１に嵌めこまれ、さらに、スタックリブ２３の４箇所の切り欠き２３２に、スタックリブ２４の４つの突出部２４２が嵌めこまれ、互いに嵌合するように形成されている。
【００３４】
図３は、本実施の形態が適用される情報記録媒体の集積状態を説明する図である。尚、本図は、各部分の実際の大きさを表すものではない。
図３には、支柱３０ａを設けたストッカー３０に集積された複数の情報記録媒体（３１，３２，３３，・・・）が示されている。図３に示すように、本実施の形態が適用される情報記録媒体は、ディスク状の基板の表裏両面に、径が異なり且つ断面テーパ形状のスタックリブをそれぞれ設けた構造を有する。このため、複数の情報記録媒体を集積する際に、例えば、情報記録媒体３２の表面に設けたスタックリブ３２３と情報記録媒体３３の裏面に設けたスタックリブ３３４とが嵌合し、情報記録媒体３２の裏面に設けたスタックリブ３２４と情報記録媒体３１の表面に設けたスタックリブ３１３とが互いに嵌合し、その結果、複数の情報記録媒体（３１，３２，３３，・・・）が、ストッカー３０に安定して集積される。
また、上述したように、ディスク状の基板の表裏両面に設けた断面テーパ形状のスタックリブが互いに嵌合することにより、支柱３０ａを用いることなく、複数の情報記録媒体を安定して集積することができる。
【００３５】
図４は、本実施の形態が適用される情報記録媒体用基板成形金型を説明する図である。図４（ａ）は、スタンパをスタンパホルダによって取り付けた金型であり、図４（ｂ）は、スタンパを吸引によって保持する金型である。
図４（ａ）には、スタンパをスタンパホルダによって取り付けた情報記録媒体用基板成形金型４０ａが示されている。図４（ａ）に示すように、情報記録媒体用基板成形金型４０ａは、固定側金型３及び可動側金型４から構成されている。固定側金型３は、鏡面状のスタンパ取り付け面を有する固定側ミラー部材にスタンパ１を取り付ける固定側スタンパホルダ５と、溶融樹脂の射出口であるスプルー７と、を有する。一方、可動側金型４は、鏡面状のスタンパ取り付け面を有する可動側ミラー部材にスタンパ２を取り付ける可動側スタンパホルダ６と、ディスク状の成形基板４１ａの中央に中心孔４２ａを開けるためのゲートカッター８と、を有する。また、固定側スタンパホルダ５には固定側スタックリブ形成溝４５が形成され、可動側スタンパホルダ６には可動側スタックリブ形成溝４６が形成されている。スタンパ１とスタンパ２との間には、溶融樹脂が射出されるキャビティ９が形成される。
【００３６】
図４（ａ）に示すように、情報記録媒体用基板成形金型４０ａを用いてディスク状の成形基板４１ａを成形する場合は、可動側金型４に取り付けられたスタンパ２と、固定側金型３に取り付けられたスタンパ１との間に形成されたキャビティ９中に、高温の溶融樹脂が射出される。この場合、可動側スタンパホルダ６に設けた可動側スタックリブ形成溝４６により、成形基板４１ａの可動側面側にスタックリブ４３ａが形成され、また、固定側スタンパホルダ５に設けた固定側スタックリブ形成溝４５により、成形基板４１ａの固定側面側のスタックリブ４４ａが形成される。このように、成形基板４１ａを成形する際に、成形基板４１ａの表裏両面に設けられるスタックリブ４３ａ，４４ａが同時に形成される。
【００３７】
次に、図４（ｂ）には、スタンパを吸引によって保持した情報記録媒体用基板成形金型４０ｂが示されている。図４（ｂ）に示すように、情報記録媒体用基板成形金型４０ｂは、固定側金型３及び可動側金型４から構成されている。固定側金型３は、スタンパ取り付け面を有する固定側ミラーインサート５’にスタンパ１を取り付ける固定側スタンパ吸引溝４７と、溶融樹脂の射出口であるスプルー７’と、を有する。一方、可動側金型４は、スタンパ取り付け面を有する可動側ミラーインサート６’にスタンパ２を取り付ける可動側スタンパ吸引溝４８と、ディスク状の成形基板４１ｂの中央に中心孔４２ｂを開けるためのゲートカッター８と、を有する。また、固定側ミラーインサート５’には固定側スタックリブ形成溝４５が形成され、可動側ミラーインサート６’には可動側スタックリブ形成溝４６’が形成されている。スタンパ１とスタンパ２との間には、溶融樹脂が射出されるキャビティ９が形成される。
【００３８】
図４（ｂ）に示すように、情報記録媒体用基板成形金型４０ｂを用いてディスク状の成形基板４１ｂを成形する場合は、スタンパ２とスタンパ１との間に、高温の溶融樹脂が射出される。この場合、スタンパ１，２の内径より内側に位置する可動側ミラーインサート６’に設けた可動側スタックリブ形成溝４６’により、成形基板４１ｂの可動側面側にスタックリブ４３ｂが形成され、また、固定側ミラーインサート５’に設けた固定側スタックリブ形成溝４５’により、成形基板４１ｂの固定側面側のスタックリブ４４ｂが形成される。このように、成形基板４１ｂを成形する際に、成形基板４１ｂの表裏両面に設けられるスタックリブ４３ｂ，４４ｂが同時に形成される。
【００３９】
このように、本実施の形態が適用される情報記録媒体用基板成形金型４０ａによれば、固定側及び可動側両方のスタンパ押さえ部材に環状溝を設けることにより、表裏両面にスタックリブを有するディスク状基板の成形が可能である。この情報記録媒体用基板成形金型４０ａによって成形されたディスク状の成形基板４１ａは、互いに相対するスタックリブ４３ａ，４４ａの内径を微小量変化させることにより、複数のディスク状の成形基板４１ａを集積する際に、テーパー状に形成されたスタックリブ４３ａ，４４ａが互いに嵌合し、安定した基板集積が可能である。また、表裏両面のスタックリブ４３ａ，４４ａの径が異なることにより、成形基板４１ａの表裏判別が容易である。
【００４０】
また、本実施の形態が適用される情報記録媒体用基板成形金型４０ｂによれば、吸引により保持されたスタンパ内周部よりも内側のミラー部に環状溝を設けることにより、両面にスタックリブを有するディスク状の成形基板４１ｂの成形が可能である。この情報記録媒体用基板成形金型４０ｂによって成形されたディスク状の成形基板４１ｂも、情報記録媒体用基板成形金型４０ａを用いて成形した成形基板４１ａ基板と同等の効果が得られる。
【図面の簡単な説明】
【００４１】
【図１】本実施の形態が適用される情報記録媒体を説明する図である。
【図２】本実施の形態が適用される情報記録媒体の他の態様を説明する図である。
【図３】本実施の形態が適用される情報記録媒体の集積状態を説明する図である。
【図４】本実施の形態が適用される情報記録媒体用基板成形金型を説明する図である。
【図５】成形したディスク状基板の保管状態を説明する図である。
【符号の説明】
【００４２】
１，２…スタンパ、３…固定側金型、４…可動側金型、５…固定側スタンパホルダ、５’…固定側ミラーインサート、６…可動側スタンパホルダ、６’…可動側ミラーインサート、７，７’…スプルー、８…ゲートカッター、９…キャビティ、１０，２０，３１，３２，３３…情報記録媒体、１１，２１…基板、１２，２２，４２ａ，４２ｂ…中心孔、１３，１４，２３，２４，４３ａ，４３ｂ，４４ａ，４４ｂ，５３，３１３，３２３，３２４，３３４…スタックリブ、１５ａ，１５ｂ，２５ａ，２５ｂ…情報信号面、１６ａ，１６ｂ，２６ａ，２６ｂ…クランプ領域、３０，５０ａ，５０ｂ…ストッカー、３０ａ，５５…支柱、４０ａ，４０ｂ…情報記録媒体用基板成形金型、４１ａ，４１ｂ…成形基板、４５…固定側スタックリブ形成溝、４６…可動側スタックリブ形成溝、４７…固定側スタンパ吸引溝、４８…可動側スタンパ吸引溝、５１ａ，５１ｂ…ディスク基板、１３１，２３１，２４２…突出部、１４１，２３２，２４１…切り欠き
【図１】
2006012331.tif 000003
【図２】
2006012331.tif 000004
【図３】
2006012331.tif 000005
【図４】
2006012331.tif 000006
【図５】
2006012331.tif 000007